(57)【要約】  空港のターミナルビルにおいて、未搭乗者を効率よく捜索することができる、未搭乗者捜索装置、未搭乗者捜索方法、及びプログラムを提供する。捜索装置１００は、画像登録部１０、判定部１２、便名登録部１４及び提示部１６を備える。画像登録部１０には、通過ポイント５０の前で取得された登録用画像データが入力され、判定部１２には、通過ポイント５０において取得された判定用画像データが入力される。登録用画像を撮影された複数の搭乗予定者４０の中に、判定用画像を撮影された搭乗予定者４０が存在する場合、便名登録部１４は、その搭乗予定者４０の搭乗予定の便名を登録用画像データに紐付けて登録する。提示部１６は、搭乗予定者４０の登録用画像データ及び便名と、搭乗予定者４０の位置特定用画像データと、撮影ポイント６０の位置情報とに基づいて、便名ごとに、搭乗予定者４０の位置情報を提示する。
2018116973.tif 000002
【特許請求の範囲】
【請求項１】
空港のターミナルビルにおいて未搭乗者を捜索する装置であって、
搭乗口へ向かう経路上の所定の通過ポイントよりも前において撮影された複数の搭乗予定者の顔の画像データを登録する、画像登録手段と、
前記通過ポイントにおいて搭乗予定者の顔が撮影されるごとに、その顔の画像データと、前記画像登録手段によって登録された複数の搭乗予定者の顔の画像データとを比較して、前記画像登録手段によって顔の画像データが登録された複数の搭乗予定者の中に、前記通過ポイントにおいて顔を撮影された搭乗予定者が存在するか否かを判定する、判定手段と、
前記画像登録手段によって顔の画像データが登録された複数の搭乗予定者の中に、前記通過ポイントにおいて顔を撮影された搭乗予定者が存在すると前記判定手段が判定した場合に、その搭乗予定者が搭乗する予定の便名を、その搭乗予定者の顔の画像データに紐付けて登録する、便名登録手段と、
前記便名登録手段によって紐付けられた搭乗予定者の顔の画像データ及び便名と、前記通過ポイントと前記搭乗口との間の複数の撮影ポイントにおいて撮影された搭乗予定者の顔の画像データと、予め設定された前記複数の撮影ポイントの位置情報とに基づいて、前記便名ごとに、前記通過ポイントと前記搭乗口との間における搭乗予定者の位置情報を提示する、提示手段と、
を備える未搭乗者捜索装置。
【請求項２】
前記提示手段は、前記複数の撮影ポイントにおいて任意の搭乗予定者の顔が撮影された場合に、前記撮影ポイントごとの撮影時刻を、前記任意の搭乗予定者の顔の画像データに紐付けて登録し、その登録された撮影ポイントごとの撮影時刻と、前記予め設定された前記複数の撮影ポイントの前記位置情報とに基づいて、前記任意の搭乗予定者の移動経路を、前記搭乗予定者の前記位置情報として提示する、
請求項１に記載の未搭乗者捜索装置。
【請求項３】
前記通過ポイントは、保安検査場内に位置する、
請求項１または２に記載の未搭乗者捜索装置。
【請求項４】
前記便名登録手段は、更に、搭乗予定者が搭乗する予定の便の搭乗口を、前記顔の画像データに紐付けて登録し、
前記提示手段は、任意の搭乗口において搭乗予定者の顔が撮影された場合に、その搭乗口が、前記便名登録手段によってその搭乗予定者の顔の画像データと紐付けられた搭乗口と一致している場合には、その搭乗予定者を除外して、前記通過ポイントと前記搭乗口との間における前記搭乗予定者の前記位置情報を提示する、
請求項１から３のいずれか１つに記載の未搭乗者捜索装置。
【請求項５】
前記便名登録手段は、前記画像登録手段によって顔の画像データが登録された複数の搭乗予定者の中に、前記通過ポイントにおいて顔を撮影された搭乗予定者が存在すると前記判定手段が判定した場合に、その搭乗予定者が搭乗する予定の便名を、前記画像登録手段によって登録されたその搭乗予定者の顔の画像データに紐付けて登録する、
請求項１から４のいずれかに記載の未搭乗者捜索装置。
【請求項６】
前記便名登録手段は、前記画像登録手段によって顔の画像データが登録された複数の搭乗予定者の中に、前記通過ポイントにおいて顔を撮影された搭乗予定者が存在しないと前記判定手段が判定した場合に、その搭乗予定者が搭乗する予定の便名を、前記通過ポイントにおいて撮影されたその搭乗予定者の顔の画像データに紐付けて登録する、
請求項１から５のいずれか１つに記載の未搭乗者捜索装置。
【請求項７】
空港のターミナルビルにおいて未搭乗者を捜索する方法であって、
搭乗口へ向かう経路上の所定の通過ポイントよりも前において撮影された複数の搭乗予定者の顔の画像データを登録し、
前記通過ポイントにおいて搭乗予定者の顔が撮影されるごとに、その顔の画像データと、登録された前記複数の搭乗予定者の顔の画像データとを比較して、登録された前記複数の搭乗予定者の中に、前記通過ポイントにおいて顔を撮影された搭乗予定者が存在するか否かを判定し、
登録された前記複数の搭乗予定者の中に、前記通過ポイントにおいて顔を撮影された搭乗予定者が存在する場合に、その搭乗予定者が搭乗する予定の便名を、その搭乗予定者の顔の画像データに紐付けて登録し、
紐付けられた前記搭乗予定者の顔の画像データ及び便名と、前記通過ポイントと前記搭乗口との間の複数の撮影ポイントにおいて撮影された搭乗予定者の顔の画像データと、予め設定された前記複数の撮影ポイントの位置情報とに基づいて、前記便名ごとに、前記通過ポイントと前記搭乗口との間における搭乗予定者の位置情報を提示する、
未搭乗者捜索方法。
【請求項８】
前記複数の撮影ポイントにおいて任意の搭乗予定者の顔が撮影された場合に、前記撮影ポイントごとの撮影時刻を、前記任意の搭乗予定者の顔の画像データに紐付けて記録し、
記録された前記撮影ポイントごとの撮影時刻と、前記予め設定された前記複数の撮影ポイントの前記位置情報とに基づいて、前記任意の搭乗予定者の移動経路を、前記搭乗予定者の前記位置情報として提示する、請求項７に記載の未搭乗者捜索方法。
【請求項９】
前記通過ポイントは、保安検査場内に位置する、
請求項７または８に記載の未搭乗者捜索方法。
【請求項１０】
搭乗予定者が搭乗する予定の便の搭乗口を、前記顔の画像データに紐付けて登録し、
任意の搭乗口において搭乗予定者の顔が撮影された場合に、その搭乗口が、その搭乗予定者の顔の画像データと紐付けられた搭乗口と一致している場合には、その搭乗予定者を除外して、前記通過ポイントと前記搭乗口との間における前記搭乗予定者の前記位置情報を提示する、
請求項７から９のいずれか１つに記載の未搭乗者捜索方法。
【請求項１１】
前記顔の画像データが登録された複数の搭乗予定者の中に、前記通過ポイントにおいて顔を撮影された搭乗予定者が存在する場合に、その搭乗予定者が搭乗する予定の便名を、登録されたその搭乗予定者の顔の画像データに紐付けて登録する、
請求項７から１０のいずれか１つに記載の未搭乗者捜索方法。
【請求項１２】
登録された前記複数の搭乗予定者の中に、前記通過ポイントにおいて顔を撮影された搭乗予定者が存在しない場合に、その搭乗予定者が搭乗する予定の便名を、前記通過ポイントにおいて撮影されたその搭乗予定者の顔の画像データに紐付けて登録する、
請求項７から１１のいずれか１つに記載の未搭乗者捜索方法。
【請求項１３】
コンピュータに、空港のターミナルビルにおいて未搭乗者を捜索させるプログラムを格納した記録媒体であって、
前記コンピュータに、
搭乗口へ向かう経路上の所定の通過ポイントよりも前において撮影された複数の搭乗予定者の顔の画像データを登録し、
前記通過ポイントにおいて搭乗予定者の顔が撮影されるごとに、その顔の画像データと、登録された前記複数の搭乗予定者の顔の画像データとを比較して、登録された前記複数の搭乗予定者の中に、前記通過ポイントにおいて顔を撮影された搭乗予定者が存在するか否かを判定し、
登録された前記複数の搭乗予定者の中に、前記通過ポイントにおいて顔を撮影された搭乗予定者が存在する場合に、その搭乗予定者が搭乗する予定の便名を、その搭乗予定者の顔の画像データに紐付けて登録し、
紐付けられた前記搭乗予定者の顔の画像データ及び便名と、前記通過ポイントと前記搭乗口との間の複数の撮影ポイントにおいて撮影された搭乗予定者の顔の画像データと、予め設定された前記複数の撮影ポイントの位置情報とに基づいて、前記便名ごとに、前記通過ポイントと前記搭乗口との間における搭乗予定者の位置情報を提示する、
ことを実行させるプログラムを格納した記録媒体。
【請求項１４】
前記複数の撮影ポイントにおいて任意の搭乗予定者の顔が撮影された場合に、前記撮影ポイントごとの撮影時刻を、前記任意の搭乗予定者の顔の画像データに紐付けて記録し、
記録された前記撮影ポイントごとの撮影時刻と、前記予め設定された前記複数の撮影ポイントの前記位置情報とに基づいて、前記任意の搭乗予定者の移動経路を、前記搭乗予定者の前記位置情報として提示する、ことを前記コンピュータに実行させる、請求項１３に記載のプログラムを格納した記録媒体。
【請求項１５】
前記通過ポイントは、保安検査場内に位置する、
請求項１３または１４に記載のプログラムを格納した記録媒体。
【請求項１６】
搭乗予定者が搭乗する予定の便の搭乗口を、前記顔の画像データに紐付けて登録し、
任意の搭乗口において搭乗予定者の顔が撮影された場合に、その搭乗口が、その搭乗予定者の顔の画像データと紐付けられた搭乗口と一致している場合には、その搭乗予定者を除外して、前記通過ポイントと前記搭乗口との間における前記搭乗予定者の前記位置情報を提示する、
請求項１３から１５のいずれか１つに記載のプログラムを格納した記録媒体。
【請求項１７】
登録された前記複数の搭乗予定者の中に、前記通過ポイントにおいて顔を撮影された搭乗予定者が存在する場合に、その搭乗予定者が搭乗する予定の便名を、登録されたその搭乗予定者の顔の画像データに紐付けて登録する、
請求項１３から１６のいずれか１つに記載のプログラムを格納した記録媒体。
【請求項１８】
登録された前記複数の搭乗予定者の中に、前記通過ポイントにおいて顔を撮影された搭乗予定者が存在しない場合に、その搭乗予定者が搭乗する予定の便名を、前記通過ポイントにおいて撮影されたその搭乗予定者の顔の画像データに紐付けて登録する、
請求項１３から１７のいずれか１つに記載のプログラムを格納した記録媒体。
【発明の詳細な説明】
【技術分野】
【０００１】
本発明は、空港のターミナルビルにおいて未搭乗者を捜索する装置、方法等に関する。
【背景技術】
【０００２】
航空機を利用する旅客は、空港のターミナルビルにおいて、保安検査場及び搭乗口を所定の時刻（例えば、出発時刻の１５分前及び１０分前）までに通過することを要求される。【０００３】
しかし、保安検査場を通過した旅客が、所定の搭乗時刻までに搭乗口に現れない場合がある。このような旅客が存在する場合、航空会社は、未搭乗の旅客（以下、未搭乗者と記す。）を捜索して、その旅客を搭乗口へ誘導しなければならない。【０００４】
しかしながら、ターミナルビルにおいて未搭乗者を探し出すことは困難である。
そのため、例えば、非特許文献１に記載のように、多くの旅客が航空機に乗り遅れる事態が発生している。【０００５】
そこで、未搭乗者を探索するためのシステムの開発が進められている。例えば、特許文献１に開示された未搭乗者検索システムでは、保安検査場の搭乗者受付端末によって、搭乗ロビーに入場する搭乗者の識別番号が取得される。また、搭乗者受付端末によって識別番号が取得される際に、搭乗者受付端末の近傍に設置された監視カメラによって、搭乗ロビーに入場する搭乗者が撮影される。搭乗ロビーに入場した搭乗者は、他の複数の監視カメラによって撮影される。定刻までに搭乗ロビーに到達した搭乗者の識別番号は、搭乗ゲート端末によって取得される。これにより、定刻後でありながら搭乗ゲートに到達していない搭乗者（未搭乗者）が特定される。また、特許文献１のシステムでは、搭乗ロビーに入場する際に撮影された上記画像と、搭乗ロビー内において撮影された上記画像とに基づいて、未搭乗者と推定される人物が撮影されたエリアが特定される。【０００６】
特許文献１には、上記のような構成により、出発時刻が迫っているにも関わらず搭乗していない未搭乗者の捜索を効率化することができると記載されている。
【先行技術文献】
【特許文献】
【０００７】
【特許文献１】特許第５８５１６５１号公報
【特許文献２】特開２００７−０５８７６３号公報
【非特許文献】
【０００８】
【非特許文献１】“ITmedia  ビジネスオンライン  水曜インタビュー劇場  飛行機に最後に乗るのはどんな人か  羽田空港を分析”,［online］,［2016年10月6日検索］，インターネット＜http://www.itmedia.co.jp/business/articles/1605/11/news013_5.html＞
【発明の概要】
【発明が解決しようとする課題】
【０００９】
特許文献１の未搭乗者検索システムでは、搭乗ロビーに入場する搭乗者の識別番号が取得される際に、搭乗者を特定するための画像（以下、登録用画像と記す。）が撮影され、登録される。言い換えると、特許文献１の未搭乗者検索システムでは、登録用画像を撮影する機会は、搭乗者の識別番号が取得されるときに限られる。【００１０】
このため、搭乗者の識別番号が取得される際、搭乗者が下を向いている又は搭乗者の歩行速度が速い場合、登録用画像を適切に撮影できないおそれがある。【００１１】
一方、特許文献１の未搭乗者検索システムでは、登録用画像を撮影する際に、搭乗者を撮影装置の方に向いてもらう、あるいは、ゆっくり歩いてもらうことによって、適切な登録用画像を撮影することができる。しかし、搭乗者に登録用画像の撮影を意識させることになり、搭乗者に不快感を与えるおそれがある。また、搭乗者を搭乗ロビーへスムーズに入場させることができなくなる。【００１２】
本発明の目的の一例は、空港のターミナルビルにおいて、未搭乗者を効率よく捜索することができる、未搭乗者捜索装置、未搭乗者捜索方法等を提供することにある。
【課題を解決するための手段】
【００１３】
上記目的を達成するため、本発明の一側面における未搭乗者捜索装置は、
空港のターミナルビルにおいて未搭乗者を捜索する装置であって、
搭乗口へ向かう経路上の所定の通過ポイントよりも前において撮影された複数の搭乗予定者の顔の画像データを登録する、画像登録部と、
前記通過ポイントにおいて搭乗予定者の顔が撮影されるごとに、その顔の画像データと、前記画像登録部によって登録された複数の搭乗予定者の顔の画像データとを比較して、前記画像登録部によって顔の画像データが登録された複数の搭乗予定者の中に、前記通過ポイントにおいて顔を撮影された搭乗予定者が存在するか否かを判定する、判定部と、
前記画像登録部によって顔の画像データが登録された複数の搭乗予定者の中に、前記通過ポイントにおいて顔を撮影された搭乗予定者が存在すると前記判定部が判定した場合に、その搭乗予定者が搭乗する予定の便名を、その搭乗予定者の顔の画像データに紐付けて登録する、便名登録部と、
前記便名登録部によって紐付けられた搭乗予定者の顔の画像データ及び便名と、前記通過ポイントと前記搭乗口との間の複数の撮影ポイントにおいて撮影された搭乗予定者の顔の画像データと、予め設定された前記複数の撮影ポイントの位置情報とに基づいて、前記便名ごとに、前記通過ポイントと前記搭乗口との間における搭乗予定者の位置情報を提示する、提示部と、
を備えている、ことを特徴とする。【００１４】
また、上記目的を達成するため、本発明の一側面における未搭乗者捜索方法は、
空港のターミナルビルにおいて未搭乗者を捜索する方法であって、
搭乗口へ向かう経路上の所定の通過ポイントよりも前において撮影された複数の搭乗予定者の顔の画像データを登録し、
前記通過ポイントにおいて搭乗予定者の顔が撮影されるごとに、その顔の画像データと、登録された前記複数の搭乗予定者の顔の画像データとを比較して、登録された前記複数の搭乗予定者の中に、前記通過ポイントにおいて顔を撮影された搭乗予定者が存在するか否かを判定し、
登録された前記複数の搭乗予定者の中に、前記通過ポイントにおいて顔を撮影された搭乗予定者が存在する場合に、その搭乗予定者が搭乗する予定の便名を、その搭乗予定者の顔の画像データに紐付けて登録し、
紐付けられた前記搭乗予定者の顔の画像データ及び便名と、前記通過ポイントと前記搭乗口との間の複数の撮影ポイントにおいて撮影された搭乗予定者の顔の画像データと、予め設定された前記複数の撮影ポイントの位置情報とに基づいて、前記便名ごとに、前記通過ポイントと前記搭乗口との間における搭乗予定者の位置情報を提示する。【００１５】
更に、上記目的を達成するため、本発明の一側面におけるプログラムは、
コンピュータに、空港のターミナルビルにおいて未搭乗者を捜索させるプログラムであって、
前記コンピュータに、
搭乗口へ向かう経路上の所定の通過ポイントよりも前において撮影された複数の搭乗予定者の顔の画像データを登録し、
前記通過ポイントにおいて搭乗予定者の顔が撮影されるごとに、その顔の画像データと、登録された前記複数の搭乗予定者の顔の画像データとを比較して、登録された前記複数の搭乗予定者の中に、前記通過ポイントにおいて顔を撮影された搭乗予定者が存在するか否かを判定し、
登録された前記複数の搭乗予定者の中に、前記通過ポイントにおいて顔を撮影された搭乗予定者が存在する場合に、その搭乗予定者が搭乗する予定の便名を、その搭乗予定者の顔の画像データに紐付けて登録し、
紐付けられた前記搭乗予定者の顔の画像データ及び便名と、前記通過ポイントと前記搭乗口との間の複数の撮影ポイントにおいて撮影された搭乗予定者の顔の画像データと、予め設定された前記複数の撮影ポイントの位置情報とに基づいて、前記便名ごとに、前記通過ポイントと前記搭乗口との間における搭乗予定者の位置情報を提示する、
ことを実行させる。
【発明の効果】
【００１６】
本発明によれば、空港のターミナルビルにおいて、未搭乗者を効率よく捜索することができる。
【図面の簡単な説明】
【００１７】
【図１Ａ】図１Ａは、実施の形態における捜索装置の概略構成を示すブロック図である。
【図１Ｂ】図１Ｂは、実施の形態における捜索装置が利用される空港のターミナルビルの出発ロビーの一例を示す図である。
【図２】図２は、実施の形態における捜索装置の具体的構成を示すブロック図である。
【図３】図３は、端末装置の表示画面に表示される位置情報の一例を示す図である。
【図４】図４は、実施の形態における捜索装置の動作を示すフロー図である。
【図５】図５は、実施の形態における捜索装置を実現するコンピュータの一例を示すブロック図である。
【発明を実施するための形態】
【００１８】
（実施の形態）
以下、実施の形態における、未搭乗者捜索装置、未搭乗者捜索方法、及びプログラムについて、図１Ａ、図１Ｂ、図２〜５を参照しながら説明する。
【００１９】
［装置構成］
最初に、図１Ａを用いて、実施の形態における未搭乗者捜索装置（以下、単に捜索装置ともいう。）の概略構成について説明する。図１Ａは、実施の形態における捜索装置の概略構成を示すブロック図である。
【００２０】
図１Ｂは、捜索装置が利用される空港のターミナルビルの出発ロビーの一例を示す図である。図１Ｂに示す出発ロビーは、第１エリアＡ１及び第２エリアＡ２を含む。第２エリアＡ２には、複数の搭乗口３０が設けられている。また、図１Ｂには、複数の搭乗予定者４０が示されている。
【００２１】
図１Ｂに示した例では、搭乗予定者４０は、通過ポイント５０を通って、第１エリアＡ１から第２エリアＡ２に移動することができる。言い換えると、通過ポイント５０は、第１エリアＡ１から第２エリアＡ２の搭乗口３０へ向かう搭乗予定者４０の移動経路上に位置している。図１Ｂの例では、通過ポイント５０は、保安検査場５５内に位置する。図１Ｂには、第１エリアＡ１から通過ポイント５０を通って搭乗口３０へ向かう搭乗予定者４０の移動経路の一例が点線で示されている。
【００２２】
図１Ａに示すように、本実施の形態における捜索装置１００は、画像登録部１０と、判定部１２と、便名登録部１４と、提示部１６とを備えている。捜索装置１００は、空港のターミナルビルにおいて未搭乗者を捜索する装置である。
【００２３】
画像登録部１０には、複数の搭乗予定者４０が搭乗口３０へ向かう経路のうち通過ポイント５０よりも前の位置において撮影された複数の搭乗予定者４０の顔の画像（以下、登録用画像と記す。）のデータが入力される。本実施形態では、例えば、第１エリアＡ１に登録用の撮影装置が配置され、この登録用の撮影装置によって、複数の搭乗予定者４０の登録用画像が撮影されてもよい。また、例えば、登録用の撮影装置は、保安検査場５５内において通過ポイント５０に向かって移動する搭乗予定者４０を撮影するように設けられてもよい。すなわち、登録用の撮影装置は、保安検査場５５内をウォークスルーする搭乗予定者４０の顔を撮影するように設けられてもよい。登録用の撮影装置は、撮影した搭乗予定者４０の登録用画像のデータ（以下、登録用画像データと記す。）を、画像登録部１０へ送信する。
【００２４】
判定部１２には、通過ポイント５０において撮影された搭乗予定者４０の顔の画像（以下、判定用画像と記す。）のデータが入力される。本実施形態では、例えば、通過ポイント５０の近傍に判定用の撮影装置が設置され、この判定用の撮影装置によって、搭乗予定者４０の判定用画像が撮影される。また、例えば、保安検査場５５のセキュリティゲート（図示せず）が通過ポイント５０に設定される場合には、セキュリティゲートに判定用の撮影装置が設けられてもよい。判定用の撮影装置は、撮影した搭乗予定者４０の判定用画像のデータ（以下、判定用画像データと記す。）を、判定部１２へ送信する。
【００２５】
判定部１２は、通過ポイント５０において搭乗予定者４０の判定用画像が撮影されるごとに、その判定用画像データと、画像登録部１０によって登録された複数の搭乗予定者４０の登録用画像データとを比較する。そして、画像登録部１０によって登録用画像データが登録された複数の搭乗予定者４０の中に、通過ポイント５０において判定用画像を撮影された搭乗予定者４０が存在するか否かを判定する。
【００２６】
便名登録部１４には、通過ポイント５０を通過する搭乗予定者４０の搭乗予定の便名が入力される。本実施形態では、例えば、通過ポイント５０の近傍に入力装置が設置され、この入力装置を用いて、搭乗予定者４０によって搭乗予定の便名が入力される。入力装置は、搭乗予定者４０によって入力された便名を、便名登録部１４に送信する。なお、本実施形態では、例えば、入力装置において複数の便名が表示され、表示された複数の便名の中から搭乗予定者４０が選択した便名が、便名登録部１４に入力されてもよい。また、搭乗予定者４０の搭乗予定の便名を含む情報を記録した記録媒体から入力装置が読み取った便名が、便名登録部１４に入力されてもよい。なお、上述の判定用の撮影装置は、例えば、入力装置に設けられてもよい。
【００２７】
画像登録部１０によって登録用画像データが登録された複数の搭乗予定者４０の中に、通過ポイント５０において判定用画像を撮影された搭乗予定者４０が存在すると判定部１２が判定した場合、便名登録部１４は、その搭乗予定者４０の搭乗予定の便名を、その搭乗予定者４０の顔の画像データ（本実施形態では、登録用画像データ）に紐付けて登録する。
【００２８】
提示部１６には、通過ポイント５０と搭乗口３０との間の複数の撮影ポイント６０において撮影された搭乗予定者４０の顔の画像（以下、位置特定用画像と記す。）のデータが入力される。本実施形態では、撮影ポイント６０ごとに、位置特定用の撮影装置が設置され、この位置特定用の撮影装置によって、撮影ポイント６０における搭乗予定者４０の位置特定用画像が撮影される。位置特定用の撮影装置は、撮影した搭乗予定者４０の位置特定用画像のデータ（以下、位置特定用画像データと記す。）を、提示部１６へ送信する。
【００２９】
提示部１６は、便名登録部１４によって紐付けられた搭乗予定者４０の顔の画像データ（本実施形態では、登録用画像データ）及び便名と、複数の撮影ポイント６０において撮影された搭乗予定者４０の位置特定用画像データと、予め設定された複数の撮影ポイント６０の位置情報とに基づいて、便名ごとに、通過ポイント５０と搭乗口３０との間における搭乗予定者４０の位置情報を提示する。
【００３０】
このように、本実施形態に係る捜索装置１００においては、搭乗予定者４０が通過ポイント５０を通過する前に予め撮影された複数の登録用画像と、通過ポイント５０において撮影された判定用画像とが照合される。そして、判定用画像がいずれかの登録用画像に対応する画像である場合には、その画像のデータ（本実施形態では、登録用画像データ）と、その画像データに対応する搭乗予定者４０の搭乗予定の便名とが紐付けて登録される。
そして、紐付けられた搭乗予定者４０の画像データ及び便名と、撮影ポイント６０において撮影された搭乗予定者４０の位置特定用画像データと、撮影ポイント６０の位置情報とに基づいて、便名ごとに搭乗予定者４０の位置情報が提示される。これにより、航空会社の職員は、所定の時刻になっても搭乗口３０に現れていない搭乗予定者４０の位置を、捜索装置１００によって提示された搭乗予定者４０の位置情報に基づいて、容易に把握することができる。
【００３１】
また、上記のように、本実施形態では、通過ポイント５０よりも前において、登録用画像が撮影される。このため、通過ポイント５０を通る際に登録用画像を撮影する場合に比べて、登録用画像を撮影するための機会を多く確保することができる。これにより、適切な登録用画像を効率よく撮影することができる。
【００３２】
また、登録用画像を撮影するために、搭乗予定者４０に撮影装置の方を向いてもらう、又は、ゆっくり歩いてもらう必要が無いので、搭乗予定者４０は、スムーズに通過ポイント５０を通過することができる。また、登録用画像が撮影されることを搭乗予定者４０に意識させなくてよい。更に、本実施形態では、搭乗予定者４０の顔の画像データと搭乗予定の便名とを紐付けて、未搭乗者を捜索することができるので、搭乗予定者４０の詳細な個人情報を登録する必要がない。これらの結果、搭乗予定者４０に不快感を与えることを防止できる。
【００３３】
以上の結果、本実施形態に係る捜索装置１００によれば、空港のターミナルビルにおいて、未搭乗者を効率よく捜索することができる。
【００３４】
続いて、図２を用いて、実施の形態における捜索装置の構成及び機能について更に具体的に説明する。図２には、実施の形態における捜索装置の具体的構成を示すブロック図が示されている。また、図２には、実施の形態における捜索装置を備えた未搭乗者捜索システムが示されている。
【００３５】
図２に示すように、未搭乗者捜索システム１０００は、捜索装置１００、登録用の撮影装置２０、判定用の撮影装置２２、入力装置２４、位置特定用の複数の撮影装置２６、搭乗確認用の複数の撮影装置２８、及び端末装置７０を備える。なお、詳細な説明は省略するが、撮影装置２０、撮影装置２２、入力装置２４、複数の撮影装置２６、複数の撮影装置２８、及び端末装置７０は、有線又は無線のネットワークを介して捜索装置１００に接続されている。
【００３６】
図１Ａ、図１Ｂ及び図２に示すように、撮影装置２０は、通過ポイント５０よりも前の位置で、複数の搭乗予定者４０の登録用画像を撮影する。撮影装置２０は、搭乗予定者４０を撮影して得られた登録用画像データを画像登録部１０へ送信する。本実施形態では、撮影装置２０は、例えば、第１エリアＡ１に設置されてもよく、保安検査場５５に設置されてもよい。保安検査場５５に設置される場合、撮影装置２０は、例えば、保安検査場５５内をウォークスルーする搭乗予定者４０の顔を撮影するように設けられてもよい。なお、図２では、１つの撮影装置２０のみを示しているが、複数の撮影装置２０が設けられてもよい。
【００３７】
撮影装置２２は、通過ポイント５０を通過する搭乗予定者４０の判定用画像を撮影する。撮影装置２２は、搭乗予定者４０を撮影して得られた判定用画像データを判定部１２へ送信する。本実施形態では、撮影装置２２は、通過ポイント５０の近傍に設置される。具体的には、例えば、保安検査場５５のセキュリティゲート（図示せず）が通過ポイント５０に設定される場合には、セキュリティゲートに撮影装置２２が設けられてもよい。この場合、撮影装置２２は、搭乗予定者４０がセキュリティゲートを通過する際に、判定用画像を撮影してもよい。
【００３８】
入力装置２４には、通過ポイント５０を通過する搭乗予定者４０の搭乗予定の便名が入力される。入力装置２４は、入力された便名を便名登録部１４へ送信する。入力装置２４としては、例えば、パーソナルコンピュータ、及びタブレット型端末等を用いることができる。入力装置２４は、通過ポイント５０の近傍に設けられる。本実施形態では、例えば、入力装置２４において複数の便名が表示され、表示された複数の便名の中から搭乗予定者４０が選択した便名が、便名登録部１４に送信されてもよい。この場合、入力装置２４は、例えば、ＦＩＳ（flight information service）から取得した複数の便名を表示してもよい。なお、入力装置２４は、搭乗予定者４０の搭乗予定の便名を含む情報を記録した記録媒体から読み取った便名を、便名登録部１４に送信してもよい。
【００３９】
なお、本実施形態では、撮影装置２２が入力装置２４に設けられてもよい。この場合、撮影装置２２は、入力装置２４に搭乗予定者４０の搭乗予定の便名が入力されたときに、搭乗予定者４０の判定用画像を撮影するように構成されてもよい。
【００４０】
複数の撮影装置２６は、通過ポイント５０と搭乗口３０との間の複数の撮影ポイント６０において、搭乗予定者４０の位置特定用画像を撮影する。複数の撮影装置２６は、搭乗予定者４０を撮影して得られた位置特定用画像データを提示部１６へ送信する。本実施形態では、撮影ポイント６０ごとに、撮影装置２６が設けられる。なお、図１Ｂの例では、複数の撮影ポイント６０が互いに間隔をおいて設定されているが、複数の撮影ポイント６０が連続して設定されてもよい。
【００４１】
図１Ａ、図１Ｂ及び図２に示すように、複数の撮影装置２８は、複数の搭乗口３０の周辺に位置する搭乗予定者４０の顔の画像（以下、確認用画像と記す。）を撮影する。複数の撮影装置２８は、撮影した確認用画像のデータ（以下、確認用画像データと記す。）を提示部１６へ送信する。本実施形態では、搭乗口３０ごとに、撮影装置２８が設けられる。
【００４２】
端末装置７０は、例えば、航空会社の職員によって使用される。端末装置７０としては、例えば、パーソナルコンピュータ、スマートフォン、及びタブレット型端末等を用いることができる。本実施形態では、例えば、航空会社の職員は、端末装置７０を利用して、未搭乗者の捜索を行いたい便名を、提示部１６に送信する。
【００４３】
本実施形態では、捜索装置１００は、上述の画像登録部１０、判定部１２、便名登録部１４、及び提示部１６に加えて更に、記憶部１８を備えている。
【００４４】
画像登録部１０は、撮影装置２０から入力された複数の搭乗予定者４０の登録用画像データを、記憶部１８に登録する。詳細な説明は省略するが、本実施形態では、画像登録部１０は、例えば、登録用画像データごとに仮の識別情報を付して、登録用画像データを記憶部１８に記憶させる。
【００４５】
判定部１２は、撮影装置２２から判定用画像データが入力されるごとに、その判定用画像データと、画像登録部１０によって記憶部１８に登録された複数の搭乗予定者４０の登録用画像データとを比較する。そして、記憶部１８に登録用画像データが登録された複数の搭乗予定者４０の中に、通過ポイント５０において判定用画像を撮影された搭乗予定者４０が存在するか否かを判定し、判定結果を便名登録部１４へ送信する。
【００４６】
記憶部１８に登録用画像データが登録された複数の搭乗予定者４０の中に、通過ポイント５０において判定用画像を撮影された搭乗予定者４０が存在すると判定部１２が判定した場合、便名登録部１４は、その搭乗予定者４０の登録用画像データと入力装置２４から入力された便名とを紐付けて記憶部１８に登録する。
【００４７】
一方、記憶部１８に登録用画像データが登録された複数の搭乗予定者４０の中に、通過ポイント５０において判定用画像を撮影された搭乗予定者４０が存在しないと判定部１２が判定した場合、判定部１２は、撮影装置２２から入力された判定用画像データを便名登録部１４へ送信する。便名登録部１４は、判定部１２から入力された判定用画像データと入力装置２４から入力された便名とを紐付けて記憶部１８に登録する。なお、便名登録部１４は、判定用画像データを撮影装置２２から直接取得してもよい。
【００４８】
なお、本実施形態では、便名登録部１４は、入力装置２４から入力された便名に基づいて、例えば、ＦＩＳ（flight information service）から、搭乗予定者４０の搭乗予定の便の搭乗口の情報を取得する。そして、便名登録部１４は、搭乗予定者４０の搭乗予定の便の搭乗口３０（より具体的には、搭乗口３０の識別情報）を、その搭乗予定者４０の顔の画像データ（登録用画像データまたは判定用画像データ）に紐付けて、記憶部１８に登録する。
【００４９】
提示部１６は、便名登録部１４によって紐付けられた搭乗予定者４０の顔の画像データ及び便名と、複数の撮影装置２６から入力された搭乗予定者４０の位置特定用画像データと、予め設定された複数の撮影ポイント６０の位置情報とに基づいて、便名ごとに、通過ポイント５０と搭乗口３０との間における搭乗予定者４０の位置情報を提示する。
【００５０】
具体的には、提示部１６は、例えば、位置特定用画像データが入力されると、記憶部１８に記憶された搭乗予定者４０の顔の画像データ（登録用画像データまたは判定用画像データ）の中から、位置特定用画像データに対応する画像データを選択する。そして、提示部１６は、選択した画像データに紐付けられた便名を記憶部１８から読み出す。これにより、提示部１６は、位置特定用画像を撮影された搭乗予定者４０の搭乗予定の便名を特定することができる。その結果、提示部１６は、便名ごとに、位置特定用画像を撮影された搭乗予定者４０の位置情報を提示することができる。
【００５１】
なお、本実施形態では、提示部１６は、任意の搭乗口３０において搭乗予定者４０の確認用画像が撮影された場合に、その搭乗口３０が、便名登録部１４によってその搭乗予定者４０の画像データと紐付けて記憶部１８に登録された搭乗口３０と一致しているか否かを判別する。そして、提示部１６は、一致していると判別した場合には、その搭乗予定者４０の位置情報を除外して、他の搭乗予定者４０の位置情報を提示する。
【００５２】
なお、詳細な説明は省略するが、提示部１６は、例えば、搭乗時刻の所定時間前（例えば、５分前）から搭乗時刻までの間に、撮影装置２８によって確認用画像データが撮影された搭乗予定者４０のみを除外して、搭乗予定者４０の位置情報を提示してもよい。この場合、搭乗時刻よりもかなり前に搭乗口３０の近くにいたが、搭乗時刻直前に、搭乗口３０の周辺から離れてしまった搭乗予定者４０の位置情報が除外されることを防止することができる。
【００５３】
また、本実施形態では、提示部１６は、複数の撮影ポイント６０において任意の搭乗予定者４０の顔が撮影された場合に、撮影ポイント６０ごとの撮影時刻を、その搭乗予定者４０の顔の画像データ（登録用画像データまたは判定用画像データ）に紐付けて、記憶部１８に登録する。そして、提示部１６は、その登録された撮影ポイント６０ごとの撮影時刻と、予め設定された複数の撮影ポイント６０の位置情報とに基づいて、搭乗予定者４０の移動経路を、搭乗予定者４０の位置情報として提示する。なお、撮影ポイント６０の位置情報は、例えば、記憶部１８に記憶されていてもよいし、撮影装置２６から提示部１６に与えられてもよい。
【００５４】
なお、本実施形態では、提示部１６は、端末装置７０から入力された便名に応じて、その便の搭乗予定者４０の位置情報を端末装置７０に送信する。これにより、端末装置７０の表示画面に、搭乗予定者４０の位置情報が提示される。
【００５５】
図３は、端末装置７０の表示画面に表示される位置情報の一例を示す図である。図３に示した例では、搭乗予定者４０ａ及び搭乗予定者４０ｂの撮影時刻ごとの位置が円で示され、移動経路が矢印で示されている。図３に示された例では、航空会社の職員は、端末装置７０の表示画面に提示された位置情報に基づいて、搭乗予定者４０ａ,４０ｂの現在の位置を把握することができる。更に、航空会社の職員は、搭乗予定者４０ａが搭乗口３０から遠ざかる方向に移動していること、及び搭乗予定者４０ｂが搭乗口３０に近付く方向に移動していることを認識できる。
【００５６】
なお、図３に示した例は、位置情報の提示態様の一例であり、位置情報の提示態様は図３の例に限定されない。例えば、搭乗予定者４０の位置とともに、撮影時刻が提示されてもよい。また、例えば、現在の時刻に最も近い時刻に撮影された搭乗予定者４０の位置を点滅表示してもよい。
【００５７】
［装置動作］
次に、実施の形態における未搭乗者捜索装置の動作について図４を用いて説明する。図４は、実施の形態における未搭乗者捜索装置の動作を示すフロー図である。以下の説明においては、適宜図１Ａ、図１Ｂ、図２および図３を参酌する。また、本実施の形態では、捜索装置１００を動作させることによって、未搭乗者捜索方法が実施される。よって、本実施の形態における未搭乗者捜索方法の説明は、以下の捜索装置１００の動作説明に代える。
【００５８】
図４に示すように、捜索装置１００においては、最初に、画像登録部１０が、複数の搭乗予定者４０の登録用画像データを記憶部１８に登録する（ステップＡ１）。
【００５９】
次に、判定部１２は、判定用画像が入力されると、登録用画像データが登録された複数の搭乗予定者４０の中に、通過ポイント５０において判定用画像を撮影された搭乗予定者４０が存在するか否かを判定する（ステップＡ２）。言い換えると、ステップＡ２においては、判定用画像を撮影された搭乗予定者４０の登録用画像が、予め撮影されていたか否かが判別される。
【００６０】
ステップＡ２において判定用画像を撮影された搭乗予定者４０の登録用画像が予め撮影されていたと判定された場合、便名登録部１４は、その搭乗予定者４０が搭乗する予定の便名を、その搭乗予定者４０の登録用画像データに紐付けて記憶部１８に登録する（ステップＡ３）。
【００６１】
なお、本実施形態では、ステップＡ３において、便名登録部１４は更に、入力装置２４から入力された便名に基づいて、ＦＩＳ（flight information service）から、搭乗予定者４０の搭乗予定の便の搭乗口の情報を取得する。そして、便名登録部１４は、搭乗予定者４０の搭乗予定の便の搭乗口３０（より具体的には、搭乗口３０の識別情報）を、その搭乗予定者４０の登録用画像データに紐付けて、記憶部１８に登録する。
【００６２】
次に、提示部１６は、便名登録部１４によって紐付けられた搭乗予定者４０の顔の画像データ及び便名と、搭乗予定者４０の位置特定用画像データと、複数の撮影ポイント６０の位置情報とに基づいて、便名ごとに、通過ポイント５０と搭乗口３０との間における搭乗予定者４０の位置情報を提示する（ステップＡ４）。なお、ステップＡ４では、提示部１６は、端末装置７０から入力された便名に応じて、その便の搭乗予定者４０の位置情報を端末装置７０に送信する。
【００６３】
また、本実施形態では、ステップＡ４において提示部１６は更に、任意の搭乗口３０の撮影装置２８から搭乗予定者４０の確認用画像データが入力された場合に、その搭乗口３０が、便名登録部１４によってその搭乗予定者４０の顔の画像データと紐付けられた搭乗口３０と一致しているか否かを判断する。そして、提示部１６は、一致していると判別した場合には、その搭乗予定者４０の位置情報を除外して、他の搭乗予定者４０の位置情報を提示する。
【００６４】
また、本実施形態では、ステップＡ４において提示部１６は、撮影ポイント６０ごとの搭乗予定者４０の撮影時刻と、撮影ポイント６０の位置情報とに基づいて、搭乗予定者４０の移動経路を、搭乗予定者４０の位置情報として提示する。
【００６５】
ステップＡ２において、搭乗予定者４０の登録用画像が予め撮影されていないと判定された場合、便名登録部１４は、その搭乗予定者４０が搭乗する予定の便名を、その搭乗予定者４０の判定用画像データに紐付けて記憶部１８に登録する（ステップＡ５）。その後、ステップＡ４の処理に進む。
【００６６】
なお、本実施形態では、ステップＡ５において、便名登録部１４は更に、入力装置２４から入力された便名に基づいて、ＦＩＳ（flight information service）から、搭乗予定者４０の搭乗予定の便の搭乗口の情報を取得する。そして、便名登録部１４は、搭乗予定者４０の搭乗予定の便の搭乗口３０（より具体的には、搭乗口３０の識別情報）を、その搭乗予定者４０の判定用画像データに紐付けて、記憶部１８に登録する。
【００６７】
［実施の形態における効果］
以上のように、本実施の形態においては、航空会社の職員は、所定の時刻になっても搭乗口３０に現れていない搭乗予定者４０の位置を、捜索装置１００によって提示された搭乗予定者４０の位置情報に基づいて、容易に把握することができる。また、通過ポイント５０よりも前において登録用画像が撮影されるので、通過ポイント５０を通る際に登録用画像を撮影する場合に比べて、登録用画像を撮影するための機会を多く確保することができる。これにより、適切な登録用画像を効率よく撮影することができる。
【００６８】
また、登録用画像を撮影するために搭乗予定者４０に撮影装置２０の方を向いてもらう、又は、ゆっくり歩いてもらう必要が無く、更に、登録用画像が撮影されることを搭乗予定者４０に意識させなくてよい。また、搭乗予定者４０の詳細な個人情報を登録する必要もない。
【００６９】
また、本実施の形態では、提示部１６は、撮影装置２８によって確認用画像が撮影された搭乗予定者４０の位置情報を除外して、他の搭乗予定者４０の位置情報を提示する。これにより、航空会社の職員は、未搭乗者を効率的に捜索することができる。
【００７０】
更に、本実施の形態では、上述のステップＡ２において、登録用画像データが登録された複数の搭乗予定者４０の中に、通過ポイント５０において判定用画像を撮影された搭乗予定者４０が存在しないと判断された場合、登録用画像データの代わりに、判定用画像データが搭乗予定者４０の搭乗予定の便名に紐付けて登録される。これにより、通過ポイント５０の前において適切な登録用画像を撮影出来なかった場合でも、判定用画像に基づいて、搭乗予定者４０の位置情報を取得することが可能になる。
【００７１】
以上の結果、本実施形態に係る捜索装置１００によれば、未搭乗者を効率よく捜索することができる。
【００７２】
［変形例］
上述の実施形態では、提示部が搭乗予定者の位置情報を端末装置に送信する場合について説明したが、搭乗予定者の提示方法は上述の例に限定されない。例えば、提示部は、捜索装置が備える表示装置において搭乗予定者の位置情報を表示してもよく、ターミナルビル内に設置された表示装置に搭乗予定者の位置情報を表示してもよい。
【００７３】
また、提示部は、搭乗口と搭乗予定者との距離、及び搭乗時刻までの時間に基づいて、搭乗予定者の位置情報を端末装置等の他の装置に自動的に通知（プッシュ通知）してもよい。また、提示部は、搭乗口において確認用画像が撮影されていない搭乗予定者（未搭乗者）の人数が所定数以下（例えば、５人以下）になった場合に、未搭乗者の位置情報を他の装置に自動的に通知してもよい。
【００７４】
また、搭乗確認用の撮影装置は、搭乗口を通過した搭乗予定者の顔の画像を、確認用画像として撮影してもよい。
【００７５】
［プログラム］
実施の形態におけるプログラムは、コンピュータに、図４に示すステップＡ１〜Ａ５を実行させるプログラムであればよい。このプログラムをコンピュータにインストールし、実行することによって、本実施の形態における未搭乗者捜索装置と未搭乗者捜索方法とを実現することができる。この場合、未搭乗者捜索装置となるコンピュータのＣＰＵ（Central Processing Unit）は、画像登録部１０、判定部１２、便名登録部１４、及び提示部１６として機能し、処理を行なう。
【００７６】
また、本実施の形態におけるプログラムは、複数のコンピュータによって構築されたコンピュータシステムによって実行されてもよい。この場合は、例えば、各コンピュータが、それぞれ、画像登録部１０、判定部１２、便名登録部１４、及び提示部１６のいずれかとして機能してもよい。また、記憶部１８は、本実施の形態におけるプログラムを実行するコンピュータとは別のコンピュータ上に構築されていてもよい。
【００７７】
［物理構成］
ここで、本実施の形態におけるプログラムを実行することによって、未搭乗者捜索装置を実現するコンピュータについて図を用いて説明する。図５は、実施の形態における未搭乗者捜索装置を実現するコンピュータの一例を示すブロック図である。
【００７８】
図５に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００７９】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであってもよい。
【００８０】
また、記憶装置１１３の具体例としては、ハードディスクドライブの他、フラッシュメモリ等の半導体記憶装置が挙げられる。入力インターフェイス１１４は、ＣＰＵ１１１と、キーボードおよびマウスといった入力機器１１８との間のデータ伝送を仲介する。表示コントローラ１１５は、ディスプレイ装置１１９と接続され、ディスプレイ装置１１９での表示を制御する。
【００８１】
データリーダ／ライタ１１６は、ＣＰＵ１１１と記録媒体１２０との間のデータ伝送を仲介し、記録媒体１２０からのプログラムの読み出し、およびコンピュータ１１０における処理結果の記録媒体１２０への書き込みを実行する。通信インターフェイス１１７は、ＣＰＵ１１１と、他のコンピュータとの間のデータ伝送を仲介する。
【００８２】
また、記録媒体１２０の具体例としては、ＣＦ（Compact Flash（登録商標））およびＳＤ（Secure Digital）等の汎用的な半導体記憶デバイス、フレキシブルディスク（Flexible Disk）等の磁気記憶媒体、またはＣＤ−ＲＯＭ（Compact Disc Read Only Memory）などの光学記憶媒体が挙げられる。
【００８３】
なお、本実施の形態における未搭乗者捜索装置は、プログラムがインストールされたコンピュータではなく、各部に対応したハードウェアを用いることによっても実現可能である。更に、未搭乗者捜索装置は、一部がプログラムで実現され、残りの部分がハードウェアで実現されていてもよい。
【００８４】
上記の実施形態の一部又は全部は、以下の付記のように記載されうるが、以下には限られない。
【００８５】
（付記１）
空港のターミナルビルにおいて未搭乗者を捜索する装置であって、
搭乗口へ向かう経路上の所定の通過ポイントよりも前において撮影された複数の搭乗予定者の顔の画像データを登録する、画像登録部と、
前記通過ポイントにおいて搭乗予定者の顔が撮影されるごとに、その顔の画像データと、前記画像登録部によって登録された複数の搭乗予定者の顔の画像データとを比較して、前記画像登録部によって顔の画像データが登録された複数の搭乗予定者の中に、前記通過ポイントにおいて顔を撮影された搭乗予定者が存在するか否かを判定する、判定部と、
前記画像登録部によって顔の画像データが登録された複数の搭乗予定者の中に、前記通過ポイントにおいて顔を撮影された搭乗予定者が存在すると前記判定部が判定した場合に、その搭乗予定者が搭乗する予定の便名を、その搭乗予定者の顔の画像データに紐付けて登録する、便名登録部と、
前記便名登録部によって紐付けられた搭乗予定者の顔の画像データ及び便名と、前記通過ポイントと前記搭乗口との間の複数の撮影ポイントにおいて撮影された搭乗予定者の顔の画像データと、予め設定された前記複数の撮影ポイントの位置情報とに基づいて、前記便名ごとに、前記通過ポイントと前記搭乗口との間における搭乗予定者の位置情報を提示する、提示部と、
を備える未搭乗者捜索装置。
（付記２）
前記提示部は、前記複数の撮影ポイントにおいて任意の搭乗予定者の顔が撮影された場合に、前記撮影ポイントごとの撮影時刻を、前記任意の搭乗予定者の顔の画像データに紐付けて登録し、その登録された撮影ポイントごとの撮影時刻と、前記予め設定された前記複数の撮影ポイントの前記位置情報とに基づいて、前記任意の搭乗予定者の移動経路を、前記搭乗予定者の前記位置情報として提示する、
付記１に記載の未搭乗者捜索装置。
（付記３）
前記通過ポイントは、保安検査場内に位置する、
付記１または２に記載の未搭乗者捜索装置。
（付記４）
前記便名登録部は、更に、搭乗予定者が搭乗する予定の便の搭乗口を、前記顔の画像データに紐付けて登録し、
前記提示部は、任意の搭乗口において搭乗予定者の顔が撮影された場合に、その搭乗口が、前記便名登録部によってその搭乗予定者の顔の画像データと紐付けられた搭乗口と一致している場合には、その搭乗予定者を除外して、前記通過ポイントと前記搭乗口との間における前記搭乗予定者の前記位置情報を提示する、
付記１から３のいずれか１つに記載の未搭乗者捜索装置。
（付記５）
前記便名登録部は、前記画像登録部によって顔の画像データが登録された複数の搭乗予定者の中に、前記通過ポイントにおいて顔を撮影された搭乗予定者が存在すると前記判定部が判定した場合に、その搭乗予定者が搭乗する予定の便名を、前記画像登録部によって登録されたその搭乗予定者の顔の画像データに紐付けて登録する、
付記１から４のいずれかに記載の未搭乗者捜索装置。
（付記６）
前記便名登録部は、前記画像登録部によって顔の画像データが登録された複数の搭乗予定者の中に、前記通過ポイントにおいて顔を撮影された搭乗予定者が存在しないと前記判定部が判定した場合に、その搭乗予定者が搭乗する予定の便名を、前記通過ポイントにおいて撮影されたその搭乗予定者の顔の画像データに紐付けて登録する、
付記１から５のいずれか１つに記載の未搭乗者捜索装置。
（付記７）
空港のターミナルビルにおいて未搭乗者を捜索する方法であって、
搭乗口へ向かう経路上の所定の通過ポイントよりも前において撮影された複数の搭乗予定者の顔の画像データを登録し、
前記通過ポイントにおいて搭乗予定者の顔が撮影されるごとに、その顔の画像データと、登録された前記複数の搭乗予定者の顔の画像データとを比較して、登録された前記複数の搭乗予定者の中に、前記通過ポイントにおいて顔を撮影された搭乗予定者が存在するか否かを判定し、
登録された前記複数の搭乗予定者の中に、前記通過ポイントにおいて顔を撮影された搭乗予定者が存在する場合に、その搭乗予定者が搭乗する予定の便名を、その搭乗予定者の顔の画像データに紐付けて登録し、
紐付けられた前記搭乗予定者の顔の画像データ及び便名と、前記通過ポイントと前記搭乗口との間の複数の撮影ポイントにおいて撮影された搭乗予定者の顔の画像データと、予め設定された前記複数の撮影ポイントの位置情報とに基づいて、前記便名ごとに、前記通過ポイントと前記搭乗口との間における搭乗予定者の位置情報を提示する、
未搭乗者捜索方法。
（付記８）
前記複数の撮影ポイントにおいて任意の搭乗予定者の顔が撮影された場合に、前記撮影ポイントごとの撮影時刻を、前記任意の搭乗予定者の顔の画像データに紐付けて記録し、
記録された前記撮影ポイントごとの撮影時刻と、前記予め設定された前記複数の撮影ポイントの前記位置情報とに基づいて、前記任意の搭乗予定者の移動経路を、前記搭乗予定者の前記位置情報として提示する、付記７に記載の未搭乗者捜索方法。
（付記９）
前記通過ポイントは、保安検査場内に位置する、
付記７または８に記載の未搭乗者捜索方法。
（付記１０）
搭乗予定者が搭乗する予定の便の搭乗口を、前記顔の画像データに紐付けて登録し、
任意の搭乗口において搭乗予定者の顔が撮影された場合に、その搭乗口が、その搭乗予定者の顔の画像データと紐付けられた搭乗口と一致している場合には、その搭乗予定者を除外して、前記通過ポイントと前記搭乗口との間における前記搭乗予定者の前記位置情報を提示する、
付記７から９のいずれか１つに記載の未搭乗者捜索方法。
（付記１１）
前記顔の画像データが登録された複数の搭乗予定者の中に、前記通過ポイントにおいて顔を撮影された搭乗予定者が存在する場合に、その搭乗予定者が搭乗する予定の便名を、登録されたその搭乗予定者の顔の画像データに紐付けて登録する、
付記７から１０のいずれか１つに記載の未搭乗者捜索方法。
（付記１２）
登録された前記複数の搭乗予定者の中に、前記通過ポイントにおいて顔を撮影された搭乗予定者が存在しない場合に、その搭乗予定者が搭乗する予定の便名を、前記通過ポイントにおいて撮影されたその搭乗予定者の顔の画像データに紐付けて登録する、
付記７から１１のいずれか１つに記載の未搭乗者捜索方法。
（付記１３）
コンピュータに、空港のターミナルビルにおいて未搭乗者を捜索させるプログラムであって、
前記コンピュータに、
搭乗口へ向かう経路上の所定の通過ポイントよりも前において撮影された複数の搭乗予定者の顔の画像データを登録し、
前記通過ポイントにおいて搭乗予定者の顔が撮影されるごとに、その顔の画像データと、登録された前記複数の搭乗予定者の顔の画像データとを比較して、登録された前記複数の搭乗予定者の中に、前記通過ポイントにおいて顔を撮影された搭乗予定者が存在するか否かを判定し、
登録された前記複数の搭乗予定者の中に、前記通過ポイントにおいて顔を撮影された搭乗予定者が存在する場合に、その搭乗予定者が搭乗する予定の便名を、その搭乗予定者の顔の画像データに紐付けて登録し、
紐付けられた前記搭乗予定者の顔の画像データ及び便名と、前記通過ポイントと前記搭乗口との間の複数の撮影ポイントにおいて撮影された搭乗予定者の顔の画像データと、予め設定された前記複数の撮影ポイントの位置情報とに基づいて、前記便名ごとに、前記通過ポイントと前記搭乗口との間における搭乗予定者の位置情報を提示する、
ことを実行させるプログラム。
（付記１４）
前記複数の撮影ポイントにおいて任意の搭乗予定者の顔が撮影された場合に、前記撮影ポイントごとの撮影時刻を、前記任意の搭乗予定者の顔の画像データに紐付けて記録し、
記録された前記撮影ポイントごとの撮影時刻と、前記予め設定された前記複数の撮影ポイントの前記位置情報とに基づいて、前記任意の搭乗予定者の移動経路を、前記搭乗予定者の前記位置情報として提示する、ことを前記コンピュータに実行させる、付記１３に記載のプログラム。
（付記１５）
前記通過ポイントは、保安検査場内に位置する、
付記１３または１４に記載のプログラム。
（付記１６）
搭乗予定者が搭乗する予定の便の搭乗口を、前記顔の画像データに紐付けて登録し、
任意の搭乗口において搭乗予定者の顔が撮影された場合に、その搭乗口が、その搭乗予定者の顔の画像データと紐付けられた搭乗口と一致している場合には、その搭乗予定者を除外して、前記通過ポイントと前記搭乗口との間における前記搭乗予定者の前記位置情報を提示する、
付記１３から１５のいずれか１つに記載のプログラム。
（付記１７）
登録された前記複数の搭乗予定者の中に、前記通過ポイントにおいて顔を撮影された搭乗予定者が存在する場合に、その搭乗予定者が搭乗する予定の便名を、登録されたその搭乗予定者の顔の画像データに紐付けて登録する、
付記１３から１６のいずれか１つに記載のプログラム。
（付記１８）
登録された前記複数の搭乗予定者の中に、前記通過ポイントにおいて顔を撮影された搭乗予定者が存在しない場合に、その搭乗予定者が搭乗する予定の便名を、前記通過ポイントにおいて撮影されたその搭乗予定者の顔の画像データに紐付けて登録する、
付記１３から１７のいずれか１つに記載のプログラム。
【００８６】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００８７】
この出願は、２０１６年１２月２２日に出願された日本出願特願２０１６−２４９８９２を基礎とする優先権を主張し、その開示の全てをここに取り込む。
【符号の説明】
【００８８】
１０      画像登録部
１２      判定部
１４      便名登録部
１６      提示部
１８      記憶部
２０      登録用撮影装置
２２      判定用撮影装置
２４      入力装置
２６      位置特定用撮影装置
２８      確認用撮影装置
３０      搭乗口
４０      搭乗予定者
５０      通過ポイント
５５      保安検査場
６０      撮影ポイント
７０      端末装置
１００    未搭乗者捜索装置
１１０    コンピュータ
１１１    ＣＰＵ
１１２    メインメモリ
１１３    記憶装置
１１４    入力インターフェイス
１１５    表示コントローラ
１１６    データリーダ／ライタ
１１７    通信インターフェイス
１１８    入力機器
１１９    ディスプレイ装置
１２０    記録媒体
１２１    バス
１０００  未搭乗者探索システム
【図１Ａ】
2018116973.tif 000003
【図１Ｂ】
2018116973.tif 000004
【図２】
2018116973.tif 000005
【図３】
2018116973.tif 000006
【図４】
2018116973.tif 000007
【図５】
2018116973.tif 000008
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
空港のターミナルビルにおいて未搭乗者を捜索する装置であって、
搭乗口へ向かう経路上の所定の通過ポイントよりも前において撮影された複数の搭乗予定者の顔の画像データを登録する、画像登録手段と、
前記通過ポイントにおいて搭乗予定者の顔が撮影されるごとに、その顔の画像データと、前記画像登録手段によって登録された複数の搭乗予定者の顔の画像データとを比較して、前記画像登録手段によって顔の画像データが登録された複数の搭乗予定者の中に、前記通過ポイントにおいて顔を撮影された搭乗予定者が存在するか否かを判定する、判定手段と、
前記画像登録手段によって顔の画像データが登録された複数の搭乗予定者の中に、前記通過ポイントにおいて顔を撮影された搭乗予定者が存在すると前記判定手段が判定した場合に、その搭乗予定者が搭乗する予定の便名を、その搭乗予定者の顔の画像データに紐付けて登録する、便名登録手段と、
前記便名登録手段によって紐付けられた搭乗予定者の顔の画像データ及び便名と、前記通過ポイントと前記搭乗口との間の複数の撮影ポイントにおいて撮影された搭乗予定者の顔の画像データと、予め設定された前記複数の撮影ポイントの位置情報とに基づいて、前記便名ごとに、前記通過ポイントと前記搭乗口との間における搭乗予定者の位置情報を提示する、提示手段と、
を備える未搭乗者捜索装置。
【請求項２】
前記提示手段は、前記複数の撮影ポイントにおいて任意の搭乗予定者の顔が撮影された場合に、前記撮影ポイントごとの撮影時刻を、前記任意の搭乗予定者の顔の画像データに紐付けて登録し、その登録された撮影ポイントごとの撮影時刻と、前記予め設定された前記複数の撮影ポイントの前記位置情報とに基づいて、前記任意の搭乗予定者の移動経路を、前記搭乗予定者の前記位置情報として提示する、
請求項１に記載の未搭乗者捜索装置。
【請求項３】
前記通過ポイントは、保安検査場内に位置する、
請求項１または２に記載の未搭乗者捜索装置。
【請求項４】
前記便名登録手段は、更に、搭乗予定者が搭乗する予定の便の搭乗口を、前記顔の画像データに紐付けて登録し、
前記提示手段は、任意の搭乗口において搭乗予定者の顔が撮影された場合に、その搭乗口が、前記便名登録手段によってその搭乗予定者の顔の画像データと紐付けられた搭乗口と一致している場合には、その搭乗予定者を除外して、前記通過ポイントと前記搭乗口との間における前記搭乗予定者の前記位置情報を提示する、
請求項１から３のいずれか１つに記載の未搭乗者捜索装置。
【請求項５】
前記便名登録手段は、前記画像登録手段によって顔の画像データが登録された複数の搭乗予定者の中に、前記通過ポイントにおいて顔を撮影された搭乗予定者が存在すると前記判定手段が判定した場合に、その搭乗予定者が搭乗する予定の便名を、前記画像登録手段によって登録されたその搭乗予定者の顔の画像データに紐付けて登録する、
請求項１から４のいずれかに記載の未搭乗者捜索装置。
【請求項６】
前記便名登録手段は、前記画像登録手段によって顔の画像データが登録された複数の搭乗予定者の中に、前記通過ポイントにおいて顔を撮影された搭乗予定者が存在しないと前記判定手段が判定した場合に、その搭乗予定者が搭乗する予定の便名を、前記通過ポイントにおいて撮影されたその搭乗予定者の顔の画像データに紐付けて登録する、
請求項１から５のいずれか１つに記載の未搭乗者捜索装置。
【請求項７】
空港のターミナルビルにおいて未搭乗者を捜索する方法であって、
搭乗口へ向かう経路上の所定の通過ポイントよりも前において撮影された複数の搭乗予定者の顔の画像データを登録し、
前記通過ポイントにおいて搭乗予定者の顔が撮影されるごとに、その顔の画像データと、登録された前記複数の搭乗予定者の顔の画像データとを比較して、登録された前記複数の搭乗予定者の中に、前記通過ポイントにおいて顔を撮影された搭乗予定者が存在するか否かを判定し、
登録された前記複数の搭乗予定者の中に、前記通過ポイントにおいて顔を撮影された搭乗予定者が存在する場合に、その搭乗予定者が搭乗する予定の便名を、その搭乗予定者の顔の画像データに紐付けて登録し、
紐付けられた前記搭乗予定者の顔の画像データ及び便名と、前記通過ポイントと前記搭乗口との間の複数の撮影ポイントにおいて撮影された搭乗予定者の顔の画像データと、予め設定された前記複数の撮影ポイントの位置情報とに基づいて、前記便名ごとに、前記通過ポイントと前記搭乗口との間における搭乗予定者の位置情報を提示する、
未搭乗者捜索方法。
【請求項８】
前記複数の撮影ポイントにおいて任意の搭乗予定者の顔が撮影された場合に、前記撮影ポイントごとの撮影時刻を、前記任意の搭乗予定者の顔の画像データに紐付けて記録し、
記録された前記撮影ポイントごとの撮影時刻と、前記予め設定された前記複数の撮影ポイントの前記位置情報とに基づいて、前記任意の搭乗予定者の移動経路を、前記搭乗予定者の前記位置情報として提示する、請求項７に記載の未搭乗者捜索方法。
【請求項９】
コンピュータに、空港のターミナルビルにおいて未搭乗者を捜索させるプログラムを格納した記録媒体であって、
前記コンピュータに、
搭乗口へ向かう経路上の所定の通過ポイントよりも前において撮影された複数の搭乗予定者の顔の画像データを登録し、
前記通過ポイントにおいて搭乗予定者の顔が撮影されるごとに、その顔の画像データと、登録された前記複数の搭乗予定者の顔の画像データとを比較して、登録された前記複数の搭乗予定者の中に、前記通過ポイントにおいて顔を撮影された搭乗予定者が存在するか否かを判定し、
登録された前記複数の搭乗予定者の中に、前記通過ポイントにおいて顔を撮影された搭乗予定者が存在する場合に、その搭乗予定者が搭乗する予定の便名を、その搭乗予定者の顔の画像データに紐付けて登録し、
紐付けられた前記搭乗予定者の顔の画像データ及び便名と、前記通過ポイントと前記搭乗口との間の複数の撮影ポイントにおいて撮影された搭乗予定者の顔の画像データと、予め設定された前記複数の撮影ポイントの位置情報とに基づいて、前記便名ごとに、前記通過ポイントと前記搭乗口との間における搭乗予定者の位置情報を提示する、
ことを実行させるプログラム。
【請求項１０】
前記複数の撮影ポイントにおいて任意の搭乗予定者の顔が撮影された場合に、前記撮影ポイントごとの撮影時刻を、前記任意の搭乗予定者の顔の画像データに紐付けて記録し、
記録された前記撮影ポイントごとの撮影時刻と、前記予め設定された前記複数の撮影ポイントの前記位置情報とに基づいて、前記任意の搭乗予定者の移動経路を、前記搭乗予定者の前記位置情報として提示する、ことを前記コンピュータに実行させる、請求項９に記載のプログラム。
【国際調査報告】
2018116973.tif 000009
2018116973.tif 000010